(57)【特許請求の範囲】
【請求項１】
配線器具を取着するために対向配置された一対の取着部を枠本体に少なくとも一組備え、壁材に四角形状に形成された壁孔を介して前記壁材の裏側に配置されるとともに、前記取着部を用いて前記配線器具が前記壁材に設置されることで、前記壁材の裏側に設置される器具取付枠であって、
前記枠本体の一側面に、前記壁材の裏面における前記壁孔の周縁に当接する当接面を有するとともに、
前記一側面から立設され、前記壁孔の四つの内側面に当接して前記枠本体の移動を規制する規制部を有し、
さらに、他の器具取付枠を組み合わせた際、互いに当接する当接部を有しており、
前記当接部同士を当接させることにより構成される複数組の取着部が、複数の配線器具間のピッチと同じピッチで配置されるとともに、前記複数の配線器具を並設するための複数列用壁孔の四つの内側面に対し前記規制部が当接するように構成され、
前記枠本体は、前記配線器具を保持し、かつ前記壁材の表側に配置された器具保持枠と共に該壁材を挟持する一対の挟持片と、該挟持片の長辺方向の一端部を連結する連結片とからなるコ字状に形成され、
前記規制部は前記挟持片それぞれの長辺方向の両端側に設けられるとともに、前記挟持片の他端側に設けられた規制部が前記当接部として機能する器具取付枠。
【請求項２】
前記当接部として機能する規制部は、前記挟持片の他端よりも外方に突出するように形成されている請求項１に記載の器具取付枠。
【請求項３】
前記当接部は、前記規制部における前記挟持片からの突出側に形成されている請求項１又は請求項２に記載の器具取付枠。
【発明の詳細な説明】
【技術分野】
【０００１】
本発明は、壁材に四角形状に形成された壁孔を介して壁材の裏側に配置されるとともに、取着部を用いて配線器具が壁材に設置されることで、壁材の裏側に設置される器具取付枠に関する。
【背景技術】
【０００２】
この種の器具取付枠としては、例えば、特許文献１に開示の壁板用取付押さえ金具が挙げられる。図１３（ａ）に示すように、特許文献１の壁板用取付押さえ金具８０は、金属板より略ロ字型の枠状に形成されるとともに、上下で対向する上枠部８１ａと下枠部８１ｂ及び左右で対向する側枠部８２ａ，８２ｂとで主体８３が構成されている。
【０００３】
上枠部８１ａと下枠部８１ｂの略中央内側端縁からはそれぞれ取付部８４が主体８３の内方に向けて突設されている。上枠部８１ａ及び下枠部８１ｂにおいて、各取付部８４の左右両側には、主体８３の前面側に突出する落下防止用の突起８７がそれぞれ突設されている。また、両側枠部８２ａ，８２ｂには、先端部が幅広となった帯状のアーム片８５が対向する側枠部８２ｂ，８２ａに向けて突設されている。右側の側枠部８２ｂと上枠部８１ａ及び下枠部８１ｂとの境目付近には、溝８６が側枠部８２ｂと並行するように形成されるとともに、この溝８６に沿って側枠部８２ｂを折り曲げることによって、側枠部８２ｂを主体８３から切り離すことができるようになっている。
【０００４】
上記構成の壁板用取付押さえ金具８０を用いて、壁材に配線器具を２列（複数列）に並設するには、まず、図１３（ｂ）に示すように、壁材８８に２列用の複数列用壁孔８８ａを形成する。次に、二つの壁板用取付押さえ金具８０それぞれにおいて、主体８３の溝８６に沿って側枠部８２ｂを主体８３から切り離す。側枠部８２ｂが主体８３から切り離されると、主体８３には、一方のアーム片８５のみが残る。次に、一方のアーム片８５が主体８３の前面側へ折り曲げられた状態で、二つの壁板用取付押さえ金具８０を壁材８８の裏側に配置するとともに、折り曲げられた各アーム片８５を折り曲げて壁材８８の前面に係止させる。さらに、各壁板用取付押さえ金具８０に一体の突起８７を複数列用壁孔８８ａの開口縁に係止させる。その結果、突起８７及びアーム片８５によって、壁板用取付押さえ金具８０の壁材８８裏側への落下防止、及び壁孔８８ａに対する壁板用取付押さえ金具８０の移動が規制される。
【０００５】
その後、図示しないが、配線器具が保持された保持枠を壁材８８の表側に配置し、保持枠に挿通されたねじを取付部８４に螺合することにより、壁板用取付押さえ金具８０と保持枠とで壁材８８の開口縁が挟持され、壁板用取付押さえ金具８０が壁材８８に固定される。
【先行技術文献】
【特許文献】
【０００６】
【特許文献１】特開平１０−１７４２４６号公報
【発明の概要】
【発明が解決しようとする課題】
【０００７】
ところで、特許文献１の壁板用取付押さえ金具８０においては、アーム片８５を壁材８８の前面に係止させるとともに、突起８７を壁孔８８ａの開口縁に係止させることで、壁裏側に位置決めされる。しかし、壁板用取付押さえ金具８０が位置決めされた状態では、隣り合う取付部８４間のピッチは定まらず、取付部８４間のピッチが、複数列に並設される配線器具間のピッチに合うように、壁板用取付押さえ金具８０の位置合わせが必要であった。
【０００８】
本発明は、上記従来の問題に鑑みてなされたものであって、その目的は、複数列に並設される配線器具間のピッチを合わせつつ、壁材の裏側に簡単に位置決めすることができる器具取付枠を提供することにある。
【課題を解決するための手段】
【０００９】
上記問題点を解決するために、請求項１に記載の発明は、配線器具を取着するために対向配置された一対の取着部を枠本体に少なくとも一組備え、壁材に四角形状に形成された壁孔を介して前記壁材の裏側に配置されるとともに、前記取着部を用いて前記配線器具が前記壁材に設置されることで、前記壁材の裏側に設置される器具取付枠であって、前記枠本体の一側面に、前記壁材の裏面における前記壁孔の周縁に当接する当接面を有するとともに、前記一側面から立設され、前記壁孔の四つの内側面に当接して前記枠本体の移動を規制する規制部を有し、さらに、他の器具取付枠を組み合わせた際、互いに当接する当接部を有しており、前記当接部同士を当接させることにより構成される複数組の取着部が、複数の配線器具間のピッチと同じピッチで配置されるとともに、前記複数の配線器具を並設するための複数列用壁孔の四つの内側面に対し前記規制部が当接するように構成され、前記枠本体は、前記配線器具を保持し、かつ前記壁材の表側に配置された器具保持枠と共に該壁材を挟持する一対の挟持片と、該挟持片の長辺方向の一端部を連結する連結片とからなるコ字状に形成され、前記規制部は前記挟持片それぞれの長辺方向の両端側に設けられるとともに、前記挟持片の他端側に設けられた規制部が前記当接部として機能することを要旨とする。
【００１０】
（削除）
【００１１】
（削除）
【００１２】
請求項２に記載の発明は、請求項１に記載の器具取付枠において、前記当接部として機能する規制部は、前記挟持片の他端よりも外方に突出するように形成されていることを要旨とする。
【００１３】
請求項３に記載の発明は、請求項１又は請求項２に記載の器具取付枠において、前記当接部は、前記規制部における前記挟持片からの突出側に形成されていることを要旨とする。
【発明の効果】
【００１４】
本発明によれば、複数列に並設される配線器具間のピッチを合わせつつ、壁材の裏側に簡単に位置決めすることができる。
【図面の簡単な説明】
【００１５】
【図１】実施形態の器具取付枠、及び器具保持枠を示す斜視図。
【図２】（ａ）は器具取付枠を示す正面図、（ｂ）は器具取付枠を示す断面図。
【図３】器具取付枠を壁材の裏側に配置した状態を示す正面図。
【図４】器具取付枠を壁材の裏側に配置した状態を示す断面図。
【図５】（ａ）は器具取付枠を壁材に押し付けた状態を示す正面図、（ｂ）は壁材に表示された突起跡及び罫書線を示す正面図。
【図６】配線器具を壁材に設置した状態を示す正面図。
【図７】配線器具を壁材に設置した状態を示す断面図。
【図８】（ａ）は別例の器具取付枠を示す正面図、（ｂ）は器具取付枠を組み付けた状態を示す正面図。
【図９】（ａ）は別例の器具取付枠を示す正面図、（ｂ）は器具取付枠を組み付けた状態を示す正面図。
【図１０】別例の器具取付枠を示す正面図。
【図１１】（ａ）は別例の器具取付枠を示す正面図、（ｂ）は実施形態の器具取付枠と別例の器具取付枠を組み付けた状態を示す正面図。
【図１２】別例の器具取付枠を組み付けた状態を示す正面図。
【図１３】（ａ）及び（ｂ）は背景技術を示す正面図。
【発明を実施するための形態】
【００１６】
以下、本発明を具体化した一実施形態を図１〜図７にしたがって説明する。
図１に示すように、器具取付枠１１は、壁材Ｗに配線器具Ｈを設置するために、壁材Ｗに形成された壁孔Ｗａを介して壁材Ｗの裏側に配置されて使用されるものである。また、器具取付枠１１は、壁材Ｗに配線器具Ｈを複数列（本実施形態では２列）並設するために、壁材Ｗの裏側に複数（本実施形態では二つ）配置されて使用される場合と、配線器具Ｈを１列だけ設置するために、図２（ａ）に示すように、壁材Ｗの裏側に１つ配置されて使用する場合とに、使い分け可能になっている。なお、図１に示すように、配線器具Ｈを２列並設する場合の複数列用壁孔Ｗａは、横長四角形状をなし、四つの内側面である上側面Ｗａ１、下側面Ｗａ２、右側面Ｗａ３、及び左側面Ｗａ４によって囲み形成されている。一方、図２（ａ）に示すように、配線器具Ｈを１列設置する場合の一列用壁孔Ｗｂは、縦長四角形状をなし、四つの内側面である上側面Ｗｂ１、下側面Ｗｂ２、右側面Ｗｂ３、及び左側面Ｗｂ４によって囲み形成されている。なお、図２（ａ）及び図３に示すように、複数列用壁孔Ｗａと、一列用壁孔Ｗｂは、それぞれ上下方向への長さＮａ１，Ｎｂ１は同じであるとともに、左右方向への長さＮａ２，Ｎｂ２が異なっている。
【００１７】
まず、器具取付枠１１単体について説明する。器具取付枠１１の枠本体１２は、合成樹脂材料により縦長のコ字状に形成されるとともに、上下に対向する挟持片１３と、両挟持片１３の長辺方向の両端部のうちの一端部同士を連結する連結片１４とからなる。枠本体１２は、連結片１４の長辺方向が長辺方向となり、挟持片１３の長辺方向が枠本体１２の短辺方向となる。また、一対の挟持片１３と、連結片１４とから、枠本体１２の内側に、開口部１５が囲み形成されている。開口部１５は、両挟持片１３の他端側が、開放されるとともに、開口部１５の長辺方向への長さＬ１は、複数列用壁孔Ｗａ、及び一列用壁孔Ｗｂそれぞれの上下方向への長さＮａ１，Ｎｂ１より短くなっている。また、開口部１５の短辺方向への長さＬ２も、一列用壁孔Ｗｂの短辺方向への長さＮｂ２より短くなっている。また、枠本体１２において、連結片１４の長辺方向への長さＴ１は、複数列用壁孔Ｗａ、及び一列用壁孔Ｗｂの長辺方向への長さＮａ１，Ｎｂ１より長く、枠本体１２において、挟持片１３の長辺方向への長さＴ２は、一列用壁孔Ｗｂの開口幅、すなわち短辺方向への長さＮｂ２と同じになっている。
【００１８】
枠本体１２において、縦長のコ字状をなす前面（一側面）全体のうち、挟持片１３の開口部１５側の縁部を除いた部位は、壁材Ｗの裏側から壁材Ｗの裏面に当接する当接面１２ａとなっている。この当接面１２ａは縦長のコ字状をなすとともに、壁材Ｗの裏面において、壁孔Ｗａの縁部に当接するようになっている。図１、図２（ａ）及び（ｂ）に示すように、両挟持片１３の前面（枠本体１２の前面）には、係止部としてそれぞれ薄板状をなす係止突部１７が一対ずつ前方へ突設されるとともに、各係止突部１７は弾性変形可能になっている。上側の各係止突部１７の先端には、爪片１７ａが上方に向かうに従い尖るように形成されるとともに、下側の各係止突部１７の先端には、爪片１７ａが下方に向かうに従い尖るように形成されている。
【００１９】
各挟持片１３において、左右に隣り合う一対の係止突部１７の間には、螺入孔１９が枠本体１２を厚み方向に貫通して形成されている。この螺入孔１９には、ナット（図示せず）が、枠本体１２の厚み方向へ移動不能に嵌入されるとともに、このナットにより螺入孔１９の内周面に雌ねじが形成されている。よって、本実施形態では、螺入孔１９及びナットにより取着部が形成されるとともに、螺入孔１９は上下に対向する位置に配置されて上下一組となっている。
【００２０】
両挟持片１３の前面（枠本体１２の前面）において、枠本体１２の短辺方向に沿った各係止突部１７の外側であり、各挟持片１３の長辺方向の両端側には、それぞれ規制部としての薄板状をなす第１規制突部１８１と第２規制突部１８２が前方に向けて突設されている。第１及び第２規制突部１８１，１８２は矩形板状をなし、その長辺方向が、枠本体１２の短辺方向（左右方向）へ延びるとともに、短辺方向が、枠本体１２に対する前後方向へ延びるように形成されている。左右一対の第１規制突部１８１と第２規制突部１８２は、それぞれ枠本体１２の短辺方向へ延びる同一平面Ｓ上に位置している。さらに、第１及び第２規制突部１８１，１８２の短辺方向への長さ（当接面１２ａからの突出長さ）は、壁材Ｗの厚み（壁孔Ｗａの厚み）より短くなっている。
【００２１】
また、図２（ａ）及び図３に示すように、上側の第１及び第２規制突部１８１，１８２の上面と、下側の第１及び第２規制突部１８１，１８２の下面との間の距離Ｋ１は、複数列用壁孔Ｗａ及び一列用壁孔Ｗｂの上下方向への長さＮａ１，Ｎｂ１より僅かに短くなっている。さらに、左右一対の第１及び第２規制突部１８１，１８２において、長辺方向の外側端間の距離Ｋ２は、一列用壁孔Ｗｂの短辺方向への長さＮｂ２より僅かに短くなっている。そして、第１及び第２規制突部１８１，１８２を一列用壁孔Ｗｂ内に挿入したとき、第１及び第２規制突部１８１，１８２は、一列用壁孔Ｗｂの各角部の内側に位置するようになっている。
【００２２】
両挟持片１３の長辺方向一端（左端）側に設けられた第１規制突部１８１の前面において、長辺方向の外側端（左側端）の上下それぞれには罫書用突起１８ｂが前方に向けて突設されている。各罫書用突起１８ｂは、三角錐状をなし、前方に向かうに従い尖るように形成されている。また、各挟持片１３の左右の第１規制突部１８１と第２規制突部１８２を、挟持片１３の長辺方向へ延びる一纏まりの規制部材と想定とした場合、挟持片１３と同じ長さの規制部材が、挟持片１３の長辺方向に沿って位置ずれした位置に配置されている。詳細には、規制部材は、挟持片１３の長辺方向に沿って連結片１４の幅分だけ内側へ位置ずれした位置に配置されている。  
【００２３】
上下両挟持片１３において、左右一対の第１及び第２規制突部１８１，１８２のうち、挟持片１３の長辺方向の他端側に設けられた第２規制突部１８２は、その先端側が挟持片１３の長辺方向の他端より外方に突出している。そして、第２規制突部１８２において、挟持片１３から突出した部位は、挟持片１３上に位置する基端側より薄く形成されている。第２規制突部１８２の突出側において、基端側と先端側との厚みの差によって形成された段部には、他の器具取付枠１１の第２規制突部１８２が当接する当接部１８２ａが形成されている。
【００２４】
そして、図３に示すように、他の器具取付枠１１を上下反転させ、第２規制突部１８２同士を突き合わせるとともに、両第２規制突部１８２の当接部１８２ａ同士を当接させると、第２規制突部１８２の先端同士が上下に重合するようになっている。第２規制突部１８２同士を重合させたとき、二つの第２規制突部１８２の上面及び下面はそれぞれ同じ厚み内で同一面上に位置するようになっている。
【００２５】
また、当接部１８２ａ同士を当接させ、両器具取付枠１１の外側に第１規制突部１８１が配設された状態において、左右両外側の第１規制突部１８１の外側端間の距離Ｋ２ａは、複数列用壁孔Ｗａの開口幅、すなわち左右辺方向への長さＮａ２より僅かに短くなっている。そして、四つの第１規制突部１８１は、複数列用壁孔Ｗａの各角部の内側に位置するようになっているとともに、四つの罫書用突起１８ｂは、複数列用壁孔Ｗａの各角部の内側に位置するようになっている。
【００２６】
また、当接部１８２ａ同士を当接させた状態において、左右の螺入孔１９間のピッチＰは、ＪＩＳに規格された配線器具Ｈ間のピッチと同じになっている。そして、枠本体１２に、係止突部１７、第１及び第２規制突部１８１，１８２、及び螺入孔１９が形成されて器具取付枠１１が形成されている。
【００２７】
次に、配線器具Ｈを保持する器具保持枠２０について説明する。
図１に示すように、器具保持枠２０は、縦長の四角枠状に形成されるとともに、器具保持枠２０の内側には、縦長四角形状の保持孔２１が形成されている。なお、器具保持枠２０の長辺方向への長さＭ１は、複数列用壁孔Ｗａ及び一列用壁孔Ｗｂの長辺方向への長さＮａ１，Ｎｂ１より長くなっている。一方、器具保持枠２０の短辺方向への長さＭ２は、壁孔Ｗａの短辺方向への長さＮａ２，Ｎｂ２より短くなっている。器具保持枠２０の上下両部には、横長の挿通孔２２が器具保持枠２０を厚み方向に貫通して形成されている。
【００２８】
次に、器具取付枠１１及び器具保持枠２０を二つずつ用いて配線器具Ｈを複数列に亘って壁材Ｗに設置する方法について説明する。
まず、図５（ａ）に示すように、壁材Ｗの表側で、隣り合う第２規制突部１８２の当接部１８２ａを当接させつつ、複数列用壁孔Ｗａを形成する位置に、四つの罫書用突起１８ｂが複数列用壁孔Ｗａの四つの角部の内側に位置するように二つの器具取付枠１１を配置する。そして、両器具取付枠１１を壁材Ｗの表面に押し付けて四つの罫書用突起１８ｂを壁材Ｗの表面に食い込ませる。次に、図５（ｂ）に示すように、両器具取付枠１１を壁材Ｗから取り外すと、四つの罫書用突起１８ｂが食い込んだ位置それぞれに突起跡Ｒが形成される。そして、四つの突起跡Ｒを直線状の罫書線Ｑで結ぶと、複数列用壁孔Ｗａの外形線が壁材Ｗに罫書かれる。その後、罫書線Ｑに沿って壁材Ｗを切除することにより壁材Ｗに複数列用壁孔Ｗａが穿設される。
【００２９】
次に、配線器具Ｈを各器具保持枠２０の保持孔２１に保持させるとともに、各器具保持枠２０の上側の挿通孔２２にビス２３を挿通する。そして、このビス２３を、各器具取付枠１１の上側の螺入孔１９に挿入するとともに、ナットに螺入し、各器具取付枠１１に器具保持枠２０を仮固定する。すると、器具取付枠１１と器具保持枠２０は、それぞれビス２３を回動軸として互いに回動自在に連結される。
【００３０】
さらに、各配線器具ＨにケーブルＫ（図７参照）を接続する。そして、二つの器具取付枠１１において、各器具保持枠２０を壁材Ｗの表側に配置しつつ、器具取付枠１１のみを複数列用壁孔Ｗａを通過させる。このとき、ビス２３を回動中心として器具取付枠１１を回動させ、複数列用壁孔Ｗａの開口縁を開口部１５内に位置させるようにし、器具取付枠１１を複数列用壁孔Ｗａを通過させる。すると、各器具保持枠２０は、それぞれ壁材Ｗの表側に配置されながら、各器具取付枠１１のみが壁材Ｗの裏側に配置されるとともに、ビス２３により、器具取付枠１１は壁材Ｗの裏側に支持される。
【００３１】
続いて、図３及び図４に示すように、壁材Ｗの裏側で、各器具取付枠１１の当接面１２ａを壁材Ｗの裏面に当接させるとともに、隣り合う第２規制突部１８２の当接部１８２ａを当接させつつ、第１規制突部１８１を複数列用壁孔Ｗａ内に挿入する。上側の第１規制突部１８１においては、右側の第１規制突部１８１は、上面が複数列用壁孔Ｗａの上側面Ｗａ１に当接するとともに、右側端が、上側面Ｗａ１に隣り合う右側面Ｗａ３に当接する。左側の第１規制突部１８１は、上面が複数列用壁孔Ｗａの上側面Ｗａ１に当接するとともに、左側端が、上側面Ｗａ１に隣り合う左側面Ｗａ４に当接する。
【００３２】
下側の第１規制突部１８１においては、右側の第１規制突部１８１は、下面が複数列用壁孔Ｗａの下側面Ｗａ２に当接支持されるとともに、右側端が、下側面Ｗａ２に隣り合う右側面Ｗａ３に当接する。左側の第１規制突部１８１は、下面が複数列用壁孔Ｗａの下側面Ｗａ２に当接支持されるとともに、左側端が、下側面Ｗａ２に隣り合う左側面Ｗａ４に当接する。
【００３３】
そして、第１及び第２規制突部１８１，１８２が壁孔Ｗａに挿入された状態では、下側の第１及び第２規制突部１８１，１８２が、複数列用壁孔Ｗａの下側面Ｗａ２に支持されることにより、二つの器具取付枠１１が複数列用壁材Ｗに位置決めされる。この位置決め状態では、器具取付枠１１の開口部１５が、複数列用壁孔Ｗａから壁材Ｗの表側に臨むとともに、螺入孔１９も複数列用壁孔Ｗａから壁材Ｗの表側に臨んでいる。
【００３４】
さらに、図４に示すように、上側の係止突部１７の各爪片１７ａを、複数列用壁孔Ｗａの上側面Ｗａ１に食い込ませて係止させるとともに、下側の係止突部１７の各爪片１７ａを、複数列用壁孔Ｗａの下側面Ｗａ２に食い込ませて係止させる。すると、各爪片１７ａの係止により、両器具取付枠１１が壁材Ｗの裏側へ落下することが規制される。また、図３に示すように、二つの器具取付枠１１が位置決めされた状態では、上下一組の螺入孔１９が左右に二列に並設されるとともに、左右の螺入孔１９間のピッチＰは、複数列に配置された配線器具Ｈ間のピッチになっている。
【００３５】
続いて、各器具取付枠１１に対し、上側のナットに螺入されたビス２３をさらに螺入する。また、各器具保持枠２０の下側の挿通孔２２に対し、ビス２３を挿通するとともに、そのビス２３を各器具取付枠１１の下側の螺入孔１９のナットに螺入する。そして、両ビス２３を増締めすると、ビス２３のナットへの螺進に伴い両器具保持枠２０が壁材Ｗに引寄せられるとともに、図６及び図７に示すように、各器具取付枠１１の両挟持片１３と、器具保持枠２０の上下両部との間に壁材Ｗが挟持される。ビス２３のナットへの螺入により、配線器具Ｈが壁材Ｗの表側に設置されることで、器具取付枠１１が壁材Ｗの裏側に設置される。このとき、枠本体１２の当接面１２ａが、壁材Ｗの裏面における複数列用壁孔Ｗａの周縁部に当接する。
【００３６】
次に、器具取付枠１１の作用について説明する。
図３に示すように、二つの器具取付枠１１を突き合わせ、第１及び第２規制突部１８１，１８２を複数列用壁孔Ｗａ内に挿入した状態では、四つの第１規制突部１８１が、複数列用壁孔Ｗａの四つの内側面Ｗａ１〜Ｗａ４に当接する。このため、二つの器具取付枠１１に対し、上下左右のいずれかの方向へ移動させる力が作用しても、第１規制突部１８１が移動方向の先にある内側面Ｗａ１〜Ｗａ４に当接し、二つの枠本体１２の上下左右方向への移動が規制される。その結果、器具取付枠１１が、開口部１５及び螺入孔１９が壁材Ｗの表側に臨む位置で位置決めされる。
【００３７】
さらに、四つの第１規制突部１８１が複数列用壁孔Ｗａの内側面Ｗａ１〜Ｗａ４に当接した状態では、左右の螺入孔１９間のピッチＰが、配線器具Ｈ同士のピッチと同じに位置合わせされている。このため、二つの器具取付枠１１のナットに対するビス２３の螺入作業を行うと、二列の配線器具Ｈが所定のピッチで壁材Ｗに設置される。
【００３８】
上記実施形態によれば、以下のような効果を得ることができる。
（１）器具取付枠１１において、枠本体１２の前面に第１及び第２規制突部１８１，１８２を突設するとともに、第２規制突部１８２に当接部１８２ａを形成した。そして、二つの器具取付枠１１を壁材Ｗの裏側に配置し、第１及び第２規制突部１８１，１８２を複数列用壁孔Ｗａに挿入しつつ、当接部１８２ａ同士を当接させると、二つの器具取付枠１１で左右に配置された螺入孔１９が、そのピッチＰが配線器具Ｈ設置用のピッチと同じとなるように配置される。したがって、当接部１８２ａを当接させるだけで、螺入孔１９間のピッチＰを合わせることができ、器具取付枠１１を移動させてピッチＰを合わせる場合と比べて、器具取付枠１１を簡単に位置合わせすることができる。
【００３９】
（２）器具取付枠１１において、枠本体１２の前面に第１及び第２規制突部１８１，１８２を突設した。そして、第１及び第２規制突部１８１，１８２を複数列用壁孔Ｗａに挿入すると、第１規制突部１８１が複数列用壁孔Ｗａの四つの内側面Ｗａ１〜Ｗａ４に当接して、器具取付枠１１の開口部１５が複数列用壁孔Ｗａに臨む位置に位置決めすることができる。したがって、第１及び第２規制突部１８１，１８２を複数列用壁孔Ｗａに挿入し、当接部１８２ａを当接させるだけで、器具取付枠１１を位置決めすることができ、器具取付枠１１の位置決め作業を簡単に行うことができる。
【００４０】
（３）各器具取付枠１１の当接面１２ａを壁材Ｗの裏面に当接させた状態では、第１及び第２規制突部１８１，１８２は複数列用壁孔Ｗａ内に位置し、壁材Ｗの表側に突出しないため、複数列用壁孔Ｗａ内で第１及び第２規制突部１８１，１８２を曲げたり、折り取る必要がない。よって、当接面１２ａを壁材Ｗの裏面に当接させつつ第１及び第２規制突部１８１，１８２を複数列用壁孔Ｗａに挿入するだけで、器具取付枠１１の位置決め作業が完了し、位置決め作業を簡単に行うことができる。
【００４１】
（４）枠本体１２は、一対の挟持片１３と、それら挟持片１３の長辺方向の一端部を連結する連結片１４とからコ字状に形成されている。このため、二つの器具取付枠１１の当接部１８２ａ同士を当接させても、器具取付枠１１の一部が複数列用壁孔Ｗａ内の中央付近を横断することがない。したがって、二つの器具取付枠１１を壁材Ｗの裏側に配置しても、それら器具取付枠１１が配線器具Ｈ設置の妨げになることがない。
【００４２】
（５）一列用壁孔Ｗｂを用いて配線器具Ｈを設置する場合、第１規制突部１８１及び第２規制突部１８２が、一列用壁孔Ｗｂの四つの内側面Ｗｂ１〜Ｗｂ４に当接し、器具取付枠１１を位置決めする。そして、複数列用壁孔Ｗａを用いて複数列の配線器具Ｈを設置する場合、四つの第１規制突部１８１によって位置決めされるとともに、第２規制突部１８２の当接部１８２ａ同士の当接によって、螺入孔１９のピッチＰが決定される。したがって、第２規制突部１８２は、位置決め機能と、ピッチＰの決定機能とを有する。よって、位置決め機能と、ピッチＰの決定機能とを別々の部材で発揮させる場合と比べると、器具取付枠１１の構成を簡単にすることができる。
【００４３】
（６）当接部１８２ａは、第２規制突部１８２の先端側の厚みを基端側より薄くすることで形成される段部によって形成されている。そして、当接部１８２ａ同士を当接させた状態では、器具取付枠１１同士を互いに近づける方向への力が作用しても、当接部１８２ａ同士の当接により、器具取付枠１１同士が移動することを抑制することができる。したがって、当接部１８２ａ同士の当接により、螺入孔１９間のピッチＰが狭くなる方向へ変化することを抑制することができる。
【００４４】
（７）第２規制突部１８２は、各挟持片１３の長辺方向の他端から外方に突出するとともに、その突出側に当接部１８２ａが形成されている。このため、当接部１８２ａ同士の当接は、挟持片１３同士を当接させることなく行うことができ、当接部１８２ａに加え、挟持片１３も当接させる場合と比べると、二つの器具取付枠１１を組み合わせる作業を簡単に行うことができる。
【００４５】
（８）枠本体１２には、係止突部１７が形成されるとともに、この係止突部１７は、複数列用壁孔Ｗａの上側面Ｗａ１及び下側面Ｗａ２に係止する。このため、ビス２３を器具取付枠１１の螺入孔１９に螺入する際、器具取付枠１１に壁材Ｗの裏側へ押す力が作用しても、係止突部１７の係止により器具取付枠１１の壁材Ｗの裏側への移動を規制することができる。したがって、ビス２３の螺入作業時に、器具取付枠１１を手で押さえて壁材Ｗの裏側へ移動することを規制する必要がなく、ビス２３の螺入作業を簡単に行うことができる。
【００４６】
（９）器具取付枠１１において、枠本体１２を、一対の挟持片１３と、挟持片１３の一端部同士を連結する連結片１４とから、コ字状に形成した。このため、器具取付枠１１が有底四角箱状に形成される場合と比べると、枠本体１２の開口部１５を利用することで、複数列用壁孔Ｗａ及び一列用壁孔Ｗｂに対し器具取付枠１１を通過させる作業を容易に行うことができ、結果として器具取付枠１１を壁材Ｗの裏側に簡単に配置することができる。
【００４７】
（１０）器具取付枠１１の枠本体１２には、第１規制突部１８１及び第２規制突部１８２に加え、第１規制突部１８１には罫書用突起１８ｂが形成されている。このため、第１及び第２規制突部１８１，１８２により器具取付枠１１を位置決めすることができるとともに、罫書用突起１８ｂにより壁材Ｗに複数列用壁孔Ｗａを穿設する作業を簡単に行うことができる。そして、罫書用突起１８ｂは、第１及び第２規制突部１８１，１８２の前面に形成されており、第１及び第２規制突部１８１，１８２が複数列用壁孔Ｗａに挿入されると、壁材Ｗに食い込むことなく複数列用壁孔Ｗａ内に配置される。したがって、罫書用突起１８ｂが壁材Ｗの裏側での器具取付枠１１の配置の妨げになることがない。
【００４８】
なお、上記実施形態は以下のように変更してもよい。
○  実施形態では、第１規制突部１８１に罫書用突起１８ｂを設けたが、罫書用突起１８ｂは無くてもよい。
【００４９】
○  実施形態では、枠本体１２に係止突部１７を設けたが、係止突部１７は無くてもよい。
○  実施形態では、第２規制突部１８２の挟持片１３からの突出側の厚みを変化させて当接部１８２ａを形成したが、第２規制突部１８２の突出側における先端を当接部としてもよい。この場合、図８（ａ）に示すように、上側の第２規制突部１８２は、下側の第２規制突部１８２に比べて長辺方向（左右方向）への長さが短くなっている。そして、図８（ｂ）に示すように、他の器具取付枠１１を上下反転させ、第２規制突部１８２の先端同士を当接させてもよい。なお、図８では、係止突部１７の図示を省略しているが、係止突部１７は枠本体１２に突設されていてもよい。
【００５０】
○  実施形態では、第２規制突部１８２に当接部１８２ａを形成したが、両挟持片１３の長辺方向の他端そのものを当接部としてもよい。この場合、図９（ａ）に示すように、上側の挟持片１３には、第２規制突部１８２は形成されず、下側の挟持片１３のみに第２規制突部１８２が形成されている。また、下側の第２規制突部１８２は、挟持片１３の他端より突出しないように、挟持片１３上に形成されている。そして、図９（ｂ）に示すように、他の器具取付枠１１を上下反転させ、挟持片１３の他端同士を当接させてもよい。なお、図９では、係止突部１７の図示を省略しているが、係止突部１７は枠本体１２に突設されていてもよい。
【００５１】
○  器具取付枠１１を一列用壁孔Ｗｂで使用する際、図１０に示すように、枠本体１２の他端側に、側板３０を組み付けて使用してもよい。この側板３０には、第２規制突部１８２の当接部１８２ａに当接する当接片３１が突設されている。そして、当接部１８２ａに当接片３１を当接させると、第１規制突部１８１と、第２規制突部１８２及び当接片３１とから、一列用壁孔Ｗｂに対し、器具取付枠１１と側板３０を位置決めすることができる。なお、図１０では、係止突部１７の図示を省略しているが、係止突部１７は枠本体１２に突設されていてもよい。
【００５２】
○  実施形態では、器具取付枠１１を、取着部としての螺入孔１９及びナットを上下一組備えるタイプに具体化したが、器具取付枠１１を、挟持片１３の長辺方向に延長し、取着部を上下二組以上備えるタイプに変更してもよい。図１１（ａ）に示すように、器具取付枠４１はコ字状に形成されるとともに、枠本体１２は上下に対向する挟持片１３と、両挟持片１３の長辺方向の両端部のうちの一端部同士を連結する連結片１４とからなる。なお、図示しないが、器具取付枠４１において、開口部１５の長辺方向への長さは、複数列用壁孔Ｗａの上下方向への長さＮａ１より短くなっている。また、開口部１５の左右方向への長さも、複数列用壁孔Ｗａの短辺方向への長さＮａ２より短くなっている。また、枠本体１２において、連結片１４の長辺方向への長さは、複数列用壁孔Ｗａの長辺方向への長さＮａ１より長く、枠本体１２において、挟持片１３の長辺方向への長さは、複数列用壁孔Ｗａの開口幅の長さＮａ２と同じになっている。
【００５３】
両挟持片１３の前面（枠本体１２の前面）には、係止部としてそれぞれ薄板状をなす係止突部１７が前方へ突設されるとともに、各係止突部１７は弾性変形可能になっている。各挟持片１３には上下一対の螺入孔１９が２組形成されている。左右の螺入孔１９間のピッチＰは、ＪＩＳに規格された配線器具Ｈ間のピッチと同じになっている。各挟持片１３の長辺方向の両端側には、それぞれ薄板状をなす規制部としての第１規制突部１８１と第２規制突部１８２が前方に向けて突設されている。そして、左右一対の第１及び第２規制突部１８１，１８２において、長辺方向の外側端間の距離は、複数列用壁孔Ｗａの長さＮａ２より僅かに短くなっている。
【００５４】
図１１（ｂ）に示すように、螺入孔１９を２組備えた器具取付枠４１と、螺入孔１９を１組備えた器具取付枠１１とを組み付け、螺入孔１９を３組備えるタイプを形成してもよく、この場合は、壁材Ｗには配線器具Ｈを３列設置するための複数列用壁孔Ｗｃが穿設される。また、左右方向に隣り合う各螺入孔１９間のピッチは、ＪＩＳに規格された配線器具Ｈ間のピッチと同じになる。
【００５５】
○  図１２に示すように、螺入孔１９を２組備える器具取付枠４１同士を組み付け、螺入孔１９を４組備えるタイプを形成してもよい。この場合、壁材Ｗには配線器具Ｈを４列設置するための複数列用壁孔Ｗｄが穿設される。
【００５６】
○  実施形態では、第１規制突部１８１を、複数列用壁孔Ｗａの各角部の内側に配置されるように枠本体１２に設けたが、二つの器具取付枠１１の各第１規制突部１８１の位置は、複数列用壁孔Ｗａの四つの内側面Ｗａ１〜Ｗａ４に当接するのであれば、任意に変更してもよい。例えば、第１規制突部１８１が、各内側面Ｗａ１〜Ｗａ４の中央に当接するように変更してもよい。
【００５７】
○  実施形態では、規制部として第１及び第２規制突部１８１，１８２に具体化したが、規制部をコ字状をなす突条に具体化してもよい。この突条は、上下両挟持片１３及び連結片１４に跨って延びるように形成される。そして、突条の上面が複数列用壁孔Ｗａの上側面Ｗａ１に当接するとともに、突条の下面が複数列用壁孔Ｗａの下側面Ｗａ２に当接する。さらに、一方の器具取付枠１１の突条の左側面が複数列用壁孔Ｗａの左側面Ｗａ４に当接するとともに、他の器具取付枠１１の突条の右側面が、複数列用壁孔Ｗａの右側面Ｗａ３に当接する。
【００５８】
○  実施形態では、規制部として第１及び第２規制突部１８１，１８２に具体化したが、上下右側の第１規制突部１８１のいずれか一つを削除してもよい。このように構成した場合、二つの器具取付枠１１において、一方の器具取付枠１１における左側の一つの第１規制突部１８１が、複数列用壁孔Ｗａの左側面Ｗａ４に当接し、他の器具取付枠１１における右側の第１規制突部１８１が、複数列用壁孔Ｗａの右側面Ｗａ３に当接する。また、第２規制突部１８２がそれぞれ上側面Ｗａ１及び下側面Ｗａ２に当接するため、器具取付枠１１の移動が規制される。
【００５９】
○  実施形態では、器具取付枠１１を、挟持片１３を長辺方向に延長し、取着部を上下三組以上備えるタイプに変更してもよい。
○  実施形態では、器具取付枠１１をコ字状の枠本体１２を備えるタイプに具体化したが、枠状の枠本体１２を備えるタイプに変更してもよい。この場合、枠本体１２の側縁が当接部となる。
【００６０】
○  実施形態では、配線器具Ｈを壁材Ｗに設置する際、ビス２３によって器具取付枠１１と器具保持枠２０を組み付けた状態で、器具取付枠１１を壁材Ｗの裏側に配置するようにしたが、これに限らない。すなわち、器具取付枠１１と器具保持枠２０を組み付けず、器具取付枠１１のみを壁材Ｗの裏側に配置し、その後、ビス２３によって器具取付枠１１に器具保持枠２０を組み付けてもよい。
【符号の説明】
【００６１】
Ｈ…配線器具、Ｐ…ピッチ、Ｗ…壁材、Ｗａ…壁孔としての複数列用壁孔、Ｗｂ…壁孔としての一列用壁孔、Ｗａ１〜Ｗａ４，Ｗｂ１〜Ｗｂ４…壁孔の内側面、１１，４１…器具取付枠、１２…枠本体、１２ａ…当接面、１３…挟持片、１４…連結片、１９…取着部としての螺入孔、２０…器具保持枠、１８１…規制部としての第１規制突部、１８２…規制部としての第２規制突部、１８２ａ…当接部。
【図１】
0005715488.tif 000002
【図２】
0005715488.tif 000003
【図３】
0005715488.tif 000004
【図４】
0005715488.tif 000005
【図５】
0005715488.tif 000006
【図６】
0005715488.tif 000007
【図７】
0005715488.tif 000008
【図８】
0005715488.tif 000009
【図９】
0005715488.tif 000010
【図１０】
0005715488.tif 000011
【図１１】
0005715488.tif 000012
【図１２】
0005715488.tif 000013
【図１３】
0005715488.tif 000014